(57)【要約】  ２つの磁性素子の特性を備えつつ、製造コストを低減することが可能であると共に、好ましくはそれぞれの磁性素子が同じ特性を容易に奏することが可能な複合磁性素子を提供すること。  筒状に設けられる外筒部２１、および外筒部２１の内部空間Ｐを２つに区切る仕切り部２２を有する第１のコア部材２０と、第１の鍔部３１および第２の鍔部３３を備えると共に、少なくとも仕切り部２２と第２の鍔部３３との間に磁気ギャップを有する状態で配置され、かつ仕切り部２２を挟んで２つの内部空間Ｐのそれぞれに配置される第２のコア部材３０と、第１の鍔部３１と第２の鍔部３３との間に存在する巻枠部３５に配置されるコイル４０と、外筒部２１の外周面２１ａに配置されると共に、コイル４０の端末４１ａが電気的に接続される端子部材５０と、を具備する。
2009041301.tif 000002
【特許請求の範囲】
【請求項１】
筒状に設けられる外筒部、および上記外筒部の内部空間を２つに区切る仕切り部を有する第１のコア部材と、
第１の鍔部および第２の鍔部を備えると共に、少なくとも上記仕切り部と上記第２の鍔部との間に磁気ギャップを有する状態で配置され、かつ上記仕切り部を挟んで２つの上記内部空間のそれぞれに配置される第２のコア部材と、
上記第１の鍔部と上記第２の鍔部との間に存在する巻枠部に配置されるコイルと、
上記外筒部の外周面に配置されると共に、上記コイルの端末が電気的に接続される端子部材と、
を具備することを特徴とする複合磁性素子。
【請求項２】
前記第１の鍔部の前記外筒部軸方向と略直交する面の輪郭線が、前記外筒部の端面内周側の輪郭線を包含すると共に、この第１の鍔部は、前記外筒部の端面に対して面接触して取り付けられていることを特徴とする請求項１記載の複合磁性素子。
【請求項３】
前記磁気ギャップは、前記仕切り部と前記第２の鍔部とを離間させた第１の隙間Ｓであると共に、
前記第２の鍔部と、前記外筒部の内壁面との間にも第２の隙間Ｔが設けられていて、
上記第１の隙間Ｓの寸法は、上記第２の隙間Ｔの寸法よりも大きく設けられている、
ことを特徴とする請求項１記載の複合磁性素子。
【請求項４】
前記第１の鍔部の前記外筒部軸方向と略直交する面の形状と、前記第２の鍔部の前記外筒部軸方向と略直交する面の形状と、が同一であることを特徴とする請求項１または２記載の複合磁性素子。
【請求項５】
前記外筒部の両開口部の周囲の端面に、各々少なくとも２つの係止突起が設けられていることを特徴とする請求項１記載の複合磁性素子。
【請求項６】
前記係止突起は、前記外筒部の軸方向を基準として、前記外筒部の外周面に配置された前記端子部材と反対の位置に設けられていることを特徴とする請求項１記載の複合磁性素子。
【請求項７】
前記端子部材は、平板状の実装部と、該実装部から垂直方向に折り曲げられた側面係止部と、端末接続部とを有することを特徴とする請求項１記載の複合磁性素子。
【請求項８】
柱状部材の両端から凹部がそれぞれ設られている第１のコア部材と
巻軸部および該巻軸部の両端に形成された鍔を有する第２のコア部材と、
前記巻軸部に巻回したコイルと、を具備し、
前記第２のコア部材を、前記第１のコア部材の両端部に設けられた凹部にそれぞれ配置したことを特徴とする複合磁性素子。
【発明の詳細な説明】
【技術分野】
【０００１】
本発明は、携帯音楽機器、各種のＡＶ機器、およびテレビ等のような電子機器等に用いられる複合磁性素子に関する。
【背景技術】
【０００２】
例えばテレビ、オーディオ機器等のような、各種のＡＶ機器に用いられるデジタルオーディオアンプにおいては、特許文献１に示すような、２つの磁性素子を有する複合磁性素子が存在する。特許文献１に示す複合磁性素子では、ドラムコア（第１のコア）にポット型のコア（第２のコア）を被せて、さらに、そのポット型のコア（第２のコア）の外側に、より大径のポット型のコア（第３のコア）を被せている。【０００３】
【特許文献１】特開２００２−１７０７２１（要約、図１等参照）
【発明の開示】
【発明が解決しようとする課題】
【０００４】
ところで、上述の複合磁性素子は、第２のコアと第３のコアを用いるため、当該第２のコアおよび第３のコアを製造するために、別々の金型が必要となる。しかも、第２のコアと第３のコアのそれぞれに、別々に巻線をしなければならないため、製造コストがかさむ、という問題がある。また、特許文献１の構成において、２個のインダクタが同じ特性を備えることが好ましいケースが多々ある。しかしながら、特許文献１の構成では、２個分のインダクタが同じ特性を備えるためには、巻線数を調整したり、寸法等を調整する必要がある。【０００５】
本発明は上記の事情にもとづきなされたもので、その目的とするところは、２つの磁性素子の特性を備える複合磁性素子において、製造コストを低減することが可能であると共に、好ましくはそれぞれの磁性素子が同じ特性を容易に奏することが可能な複合磁性素子を提供しよう、とするものである。
【課題を解決するための手段】
【０００６】
上記課題を解決するために、本発明は、筒状に設けられる外筒部、および外筒部の内部空間を２つに区切る仕切り部を有する第１のコア部材と、第１の鍔部および第２の鍔部を備えると共に、少なくとも仕切り部と第２の鍔部との間に磁気ギャップを有する状態で配置され、かつ仕切り部を挟んで２つの内部空間のそれぞれに配置される第２のコア部材と、第１の鍔部と第２の鍔部との間に存在する巻枠部に配置されるコイルと、外筒部の外周面に配置されると共に、コイルの端末が電気的に接続される端子部材と、を具備するものである。【０００７】
このように構成する場合には、第１のコア部材の内部空間は、仕切り部によって２つに区切られ、区切られた内部空間のそれぞれに、第２のコア部材が配置される。そして、第２のコア部材のそれぞれに存在するコイルで生じるそれぞれの磁束は、互いに影響を及ぼさない状態で、第１のコア部材および第２のコア部材の内部を流れる。そのため、２つの磁性素子が独立した状態で存在することになる。そのため、本発明の複合磁性素子を１つ用いれば、２つの磁性素子を基板に実装したのと同等となり、磁性素子の個数を低減することが可能となる。また、第１のコア部材の内部空間に、仕切り部を設けているので、２つのコイルの間で磁気結合が生じるのを防止可能となる。さらに、磁気ギャップが第１のコア部材の内部に設けられているので、磁気ギャップが外部に露出している場合と比較して、外部への磁気漏れが生じ難くなる。【０００８】
また、他の発明は、上述の発明に加えて更に、第１の鍔部の外筒部軸方向と略直交する面の輪郭線が、外筒部の端面内周側の輪郭線を包含すると共に、この第１の鍔部は、外筒部の端面に対して面接触して取り付けられているものである。【０００９】
このように構成する場合、第１のコア部材の内部空間は、第１の鍔部により覆われる状態となる。そのため、この第１の鍔部によって、コイルから生じる磁束が外部に漏れるのを防止可能となる。また、仕切り部と第２の鍔部と磁気ギャップの位置決めが容易となる。【００１０】
さらに、他の発明は、上述の各発明に加えて更に、磁気ギャップは、仕切り部と第２の鍔部とを離間させた第１の隙間Ｓであると共に、第２の鍔部と、外筒部の内壁面との間にも第２の隙間Ｔが設けられていて、第１の隙間Ｓの寸法は、第２の隙間Ｔの寸法よりも大きく設けられているものである。【００１１】
このように構成する場合、第１の隙間Ｓの寸法が、第２の隙間Ｔの寸法よりも大きいため、仕切り部における磁束の流れは、外筒部の内壁面と第２の鍔部との間における磁束の流れよりも小さくなる。そのため、仕切り部は、磁気飽和し難くなる。また、第１の隙間Ｓと第２の隙間Ｔの存在により、本発明の複合磁性素子では、当該第１の隙間Ｓおよび第２の隙間Ｔが存在しない場合と比較して、高い直流重畳特性を得ることが可能となる。【００１２】
さらに、他の発明は、上述の各発明に加えて更に、第１の鍔部の外筒部軸方向と略直交する面の形状と、第２の鍔部の外筒部軸方向と略直交する面の形状と、が同一であるというものである。【００１３】
このように構成する場合、第１の鍔部、第２の鍔部共に、外筒部の内壁面との間に第２の隙間Ｔがとれる。このため不等鍔の間隔Ｔよりも、それぞれ小さくでき、第１の鍔部、第２の鍔部共に大きくできる。そのため、コイルの巻き径（外周）を大きくすることができるためＤＣＲ（discharge resistor）を小さくすることができる。【００１４】
さらに、他の発明は、上述の各発明に加えて更に、外筒部の両開口部の周囲の端面に、少なくとも２つの係止突起が設けられているものである。このように構成する場合、外筒部の内部空間に配置された第２のコア部材の上鍔部の外周面を、この係止突起により係止することができる。このため、第２のコア部材を外筒部の内部空間に安定して固定することができる。【００１５】
さらに、他の発明は、上述の各発明に加えて更に、係止突起は、外筒部の軸方向を基準として、外筒部の外周面に配置された端子部材と反対の位置に設けられているものである。このように構成する場合、複合磁性素子の、実装基板が配置される端子部材側と、反対側の位置に係止突起が配置されることになる。このため、複合磁性素子からコイルの端末を取り出して、他の部材と接続することが容易である。【００１６】
さらに、他の発明は、上述の各発明に加えて更に、端子部材は、平板状の実装部と、この実装部から垂直方向に折り曲げられた側面係止部と、端末接続部とを有するものである。このように構成する場合、外筒部の断面形状が略矩形状であれば、端子部材を、外筒部の外周の角部に安定して配置することができる。【００１７】
また、本発明は、柱状部材の両端から凹部がそれぞれ設けられている第１のコア部材と、巻軸部およびこの巻軸部の両端に形成された鍔を有する第２のコア部材と、巻軸部に巻回したコイルと、を具備し、第２のコア部材を、第１のコア部材の両端部に設けられた凹部にそれぞれ配置したものである。【００１８】
このように構成する場合には、第２のコア部材が、第１のコア部材に各々独立して設けられた凹部に配置される。そして、第２のコア部材のそれぞれに存在するコイルで生じるそれぞれの磁束は、互いに影響を及ぼさない状態で、第１のコア部材および第２のコア部材の内部を流れる。そのため、２つの磁性素子が独立した状態で存在することになる。そのため、本発明の複合磁性素子を１つ用いれば、２つの磁性素子を基板に実装したのと同等となり、磁性素子の個数を低減することが可能となる。また、第１のコア部材には各々独立した凹部を設けているので、２つのコイルの間で磁気結合が生じるのを防止可能となる。
【発明の効果】
【００１９】
本発明によると、２つの磁性素子の特性を備える複合磁性素子において、製造コストを低減することが可能となる。また、２つの磁性素子が、同じ特性を容易に奏させることが可能となる。
【図面の簡単な説明】
【００２０】
【図１】本発明の一実施の形態に係る複合磁性素子の構成を示すと共に、上方から見た状態を示す斜視図である。
【図２】図１の複合磁性素子を下方から見た状態を示す斜視図である。
【図３】図１の複合磁性素子を側面から見た状態を示す側面図である。
【図４】図１の複合磁性素子を矢示Ｂ方向に沿って切断した状態を示す断面図である。
【図５】図１の複合磁性素子において、導出用凹部付近の構成を示す部分的な拡大図である。
【図６】図１の複合磁性素子におけるギャップとインダクタンス値との関係を示す図である。
【符号の説明】
【００２１】
１０…複合磁性素子
２０…ポットコア（第１のコア部材に対応）
２１…外筒部
２２…仕切り部
３０…ドラム型コア（第２のコア部材に対応）
３１…上鍔部（第１の鍔部に対応）
３２…柱脚部
３３…下鍔部（第２の鍔部に対応）
４０…コイル
５０…実装端子（端子部材に対応）
５１…実装部
５２…端末接続部
５３…側面係止部
２１２…導出用凹部
Ｓ，Ｔ…隙間
【発明を実施するための最良の形態】
【００２２】
以下、本発明の一実施の形態に係る、複合磁性素子１０について、図１から図６に基づいて説明する。【００２３】
図１〜図５等に示すように、本実施の形態の複合磁性素子１０は、２つの磁性素子の機能を備えるものであり、１つのポットコア２０と、２つのドラム型コア３０と、２つのコイル４０と、合計４つの実装端子５０と、を具備している。【００２４】
このうち、ポットコア２０は、例えばニッケル系のフェライトを材質として形成されている。しかしながら、ポットコア２０の材質は、上記には限られず、種々の磁性材（例えば、種々のフェライト、パーマロイ、センダスト等）を用いることが可能である。ポットコア２０は、第１のコア部材に対応していて、外筒部２１と、仕切り部２２とを有している。言い換えれば、ポットコア２０は、柱状部材の両端から、仕切り部２２を底面とする２つの凹部が設けられているものである。【００２５】
図１に示すように、外筒部２１は、その外観が四角形状を為す筒状部材である。この外筒部２１には、係止突起２１１と、導出用凹部２１２とが設けられている。これらのうち、係止突起２１１は、ドラム型コア３０の上鍔部３１の外周面３１ａを係止させる部分である。この係止突起２１１の外周側は、外周面２１ａと面一となるように設けられているが、その内周側は、上鍔部３１に倣う湾曲面に設けられている。また、係止突起２１１は、２つ設けられている。２つの係止突起２１１は、外筒部２１の軸方向を基準として、基板に実装される側（実装端子５０が取り付けられる側）とは反対側の外周面２１ａの隅部にそれぞれ設けられている。【００２６】
また、導出用凹部２１２は、後述する実装端子５０が位置する部分である。図２、図５等に示すように、導出用凹部２１２は、２つ設けられていて、その２つの導出用凹部２１２は、基板に実装される側（実装端子５０が取り付けられる側）の外周面２１ａの隅部にそれぞれ設けられている。また、導出用凹部２１２は、外筒部２１のうち、上鍔部３１の下面３１ｂが接触する端面２１ｂから凹んで設けられている。この導出用凹部２１２には、実装端子５０の端末接続部５２が係止される。また、この導出用凹部２１２からは、ポットコア２０の内部に存在するコイル４０の端末４１ａが引き出される。そして、引き出された端末４１ａは、端末接続部５２に対して半田付け等により、取付固定される。【００２７】
なお、図１等においては、外筒部２１のうち、一方側の端面２１ｂのみに存在する係止突起２１１および導出用凹部２１２について図示されているが、他方側の端面２１ｂにも同様の係止突起２１１および導出用凹部２１２が存在する（図３参照）。他方側の端面２１ｂに存在する係止突起２１１および導出用凹部２１２は、一方側の端面２１ｂに存在する係止突起２１１および導出用凹部２１２と同一の外周面２１ａに存在している。そのため、合計４つの実装端子５０が、複合磁性素子１０の実装側に存在する状態となっている。【００２８】
また、図４に示すように、ポットコア２０の図４における矢示Ｂ方向の略中央部分には、仕切り部２２が存在する。仕切り部２２は、矢示Ｂ方向を法線方向とする板状の部位であり、ポットコア２０の筒状の内部空間Ｐを二分している。そのため、図４においては、ポットコア２０は、略Ｈ形の断面形状を呈している。この仕切り部２２は、その厚み寸法が外筒部２１と同程度に設けられているが、外筒部２１よりも大きな厚み寸法を有するように構成しても良い。【００２９】
また、ドラム型コア３０は、第２のコア部材に対応し、例えばポットコア２０と同様のニッケル系のフェライトを材質として形成されている。しかしながら、ドラム型コア３０の材質も、ニッケル系のフェライトには限られず、種々の磁性材（ドラム型コア３０と同じ材質であっても良く、異なる材質であっても良い。）を用いることが可能である。ポットコア２０と異なる材質を選択する例としては、ポットコア２０の材質をニッケル系のフェライトとすると共に、ドラム型コア３０の材質を、マンガン系のフェライトとする場合がある。この材質の組み合わせでは、複合磁性素子１０におけるそれぞれの磁性素子の直流重畳特性を良好にすることが可能となっている。【００３０】
このドラム型コア３０は、上鍔部３１と、柱脚部３２（巻軸部）と、下鍔部３３と、を有している。これらのうち、上鍔部３１、柱脚部３２および下鍔部３３の平面形状は円形状に設けられている。また、ドラム型コア３０の上鍔部３１は、下鍔部３３よりも大径に設けられている。この上鍔部３１は、第１の鍔部に対応するが、当該上鍔部３１は、内部空間Ｐに入り込まずに下面３１ｂが端面２１ｂに当接する程度の直径を有している。また、上鍔部３１には、切欠部３１１が設けられている。切欠部３１１は、上鍔部３１の径方向の中央側に向かい、略半円を為す状態で窪んでいる部分である。なお、本実施の形態では、上鍔部３１には、９０度間隔で合計４つの切欠部３１１が設けられている。【００３１】
また、図４に示すように、ドラム型コア３０は、ポットコア２０の両端に設けられた凹部（図４中、符号Ｐで示される内部空間）に配置されている。ここで、下鍔部３３は、第２の鍔部に対応し、内部空間Ｐの最も中央側に配置される部位である。この下鍔部３３は、上鍔部３１の下面３１ｂが端面２１ｂに接触している状態で、仕切り部２２と一定の隙間Ｓ（図４では、寸法Ｓの空間の部分）を有するように設けられている。すなわち、下鍔部３３は、隙間Ｓを有するように仕切り部２２に対して非接触に設けられていて、その隙間Ｓが磁気ギャップとして機能する。また、この隙間Ｓは、第１の隙間に対応する。また、下鍔部３３は、外筒部２１の内周壁面２１ｃに対しても、非接触に設けられている。すなわち、下鍔部３３の外周面３３ａと外筒部２１の内周壁面２１ｃとの間には、隙間Ｔ（図４では、寸法Ｔの空間の部分）が設けられている。そして、この隙間Ｔは、第２の隙間に対応すると共に、隙間Ｔも、磁気ギャップとして機能する。【００３２】
なお、本実施の形態では、上述の隙間Ｓの方が、隙間Ｔよりも大きく設けられている。そのため、図４に示す磁路Ｍは、主として隙間Ｔを通過する状態となる。また、隙間Ｓは、多少の寸法のばらつきが生じても、インダクタンス値の変動が小さい領域に設定されている。その例を図６に示す。図６に示す例においては、隙間Ｓの寸法を０．４５ｍｍと設定した場合、その寸法に±０．０５ｍｍの変動が生じても、インダクタンス値の変動が１μＨ程度と、小さく抑えられる様子が示されている。【００３３】
また、柱脚部３２の外方であって上鍔部３１と下鍔部３３の間の部位には、巻枠部３５が設けられている。図４に示すように、巻枠部３５には、コイル４０が配置されている。コイル４０は、巻線４１を巻回することにより形成される。なお、巻線４１は、例えばエナメル線等のような、外周部が絶縁被膜によって被覆されている線材である。また、巻線４１は、その断面が略円形状の導線である。しかしながら、巻線４１の断面は略円形状には限られず、該断面が細長形状となるリボン線（平角線）を用いても良い。【００３４】
また、図５等に示すように、ポットコア２０のうち、一対の導出用凹部２１２が存在する側の外周面２１ａには、実装端子５０が取り付けられる。実装端子５０は、端子部材に対応し、金属プレートをプレス加工する等により、所定の形状に打抜かれ、かつ折り曲げられる部分である。この実装端子５０は、平板状の実装部５１と、端末接続部５２と、側面係止部５３とを有している。これらのうち、実装部５１は、実装基板に電気的に接続される部分である。なお、本実施の形態では、実装部５１は、略矩形状の部位を有していて、その矩形状の部分から端末接続部５２に向かう部位が、他の部分よりも幅寸法が小さく設けられている。また、この実装部５１には、略半円状に切り欠いた窪み部５１１が設けられている。【００３５】
また、端末接続部５２は、実装部５１に対して略９０度を為すように垂直に折り曲げられている。この端末接続部５２は、本実施の形態では、実装部５１よりも小面積に設けられている。また、端末接続部５２は、上述の導出用凹部２１２に面接触するように取り付けられる。この端末接続部５２には、巻線４１の端末４１ａが半田付けや溶接等の手段によって、電気的に接続される。また、側面係止部５３も、実装部５１に対して略９０度を為すように垂直に折り曲げられていて、その折り曲げにより、端末接続部５２と同じ向きに突出する。このとき、実装部５１、端末接続部５２および側面係止部５３の法線は、互いに略直交する状態に設けられる。この側面係止部５３は、一対の導出用凹部２１２が存在する外周面２１ａに隣接する外周面２１ａに係止される部分である。そして、実装部５１が一方の外周面２１ａに面接触し、側面係止部５３が一方の外周面２１ａに隣接する外周面２１ａに面接触し、さらに端末接続部５３が導出用凹部２１２に面接触することにより、実装端子５０の位置決めが為される。【００３６】
なお、実装部５１は、ポットコア２０の外周面２１ａに対して、例えば接着剤等の手段によって取付固定される。【００３７】
以上のような構成を有する複合磁性素子１０によれば、巻線４１に電流を導通させると、コイル４０に磁束が発生する。そのとき、磁路Ｍは、図４に示すようにドラム型コア３０およびポットコア２０を通過している。ここで、図４に示すように、隙間Ｔの寸法は、隙間Ｓの寸法よりも小さく設けられている。そのため、磁路Ｍ（磁束）は、主として隙間Ｔの部位を通過する。それにより、仕切り部２２には、さほど大きな磁束が流れない。そのため、それぞれの複合磁性素子１０に電流を導通させても、仕切り部２２で磁気飽和が発生し難くなっている。【００３８】
また、仕切り部２２の存在により、２つのコイル４０で生じるそれぞれの磁束は、互いに影響を及ぼさない状態で、ポットコア２０およびドラム型コア３０の内部を流れる。それにより、２つのコイル４０の間における、磁気結合が生じるのを抑えることが可能となる。そのため、複合磁性素子１０は、独立した２つの磁性素子を備える状態となる。それにより、本発明の複合磁性素子１０を１つ用いれば、２つの磁性素子を基板に実装したのと同等となり、磁性素子の個数を低減することが可能となる。【００３９】
また、本実施の形態では、磁気ギャップは、ポットコア２０の内部に設けられているので、磁気ギャップが外部に露出している場合と比較して、外部への磁気漏れが生じ難くなる。【００４０】
さらに、本実施の形態では、上鍔部３１は、下鍔部３３よりも大きな直径を有する円盤状に設けられていると共に、上鍔部３１は、外筒部２１の端面２１ｂに対して面接触して取り付けられている。そのため、ポットコア２０の内部空間Ｐは、上鍔部３１により覆われる状態となり、コイル４０から生じる磁束が外部に漏れるのを大幅に低減可能となっている。【００４１】
また、本実施の形態では、隙間Ｓの寸法は、隙間Ｔの寸法よりも大きく設けられている。そのため、磁束の流れは、主として隙間Ｔを経由して、外筒部２１の内周壁面２１ｃと下鍔部３３との間を流れる。そのため、隙間Ｓを経由する磁束の流れは小さくなり、仕切り部２２は、磁気飽和し難くなる。また、隙間Ｓと隙間Ｔの存在により、本発明の複合磁性素子１０では、これら隙間Ｓおよび隙間Ｔが存在しない場合と比較して、高い直流重畳特性を得ることが可能となる。【００４２】
また、複合磁性素子１０においては、２つのドラム型コア３０は同じ形状となっている。そのため、特許文献１のような、２つのポット形状のコア（第２のコアおよび第３のコア）が、互いに異なる形状に形成される場合のように、別々の金型が必要とされることはなく、製造コストを低減することが可能となる。さらに、本実施の形態では、２つのドラム型コア３０が同じ材質から形成されているので、それぞれの巻枠部３５に設けられるコイル４０の巻数を等しくすれば、同じ特性を備えさせることができる。それにより、２個の磁性素子が同じ特性を備えることが好ましいケースにおいても、巻数を調整したり、ドラム型コア３０の寸法等を調整する必要がなくなる。【００４３】
また、本実施の形態では、複合磁性素子１０はドラム型コア３０を用いている。ここで、当該ドラム型コア３０は、上鍔部３１および下鍔部３３を備え、その結果、それらと柱脚部３２とによって囲まれる巻枠部３５を備えるので、巻線４１の巻回が容易となり、巻枠部３５にコイル４０を容易に形成することが可能となる。また、上述のドラム型コア３０では、様々な直径を有する巻線４１の巻回が容易となり、インダクタンス値の取得範囲を広げることが可能となる。【００４４】
以上、本発明の一実施の形態に係る複合磁性素子１０について説明したが、本発明はこれ以外にも種々変形可能となっている。以下、それについて述べる。【００４５】
上述の実施の形態においては、下鍔部３３と仕切り部２２との間には、磁気ギャップとして隙間Ｓが設けられていると共に、下鍔部３３と内周壁面２１ｃとの間にも磁気ギャップとして隙間Ｔが設けられている。しかしながら、磁気ギャップは、これら隙間Ｓ、隙間Ｔには限られず、例えば銅等から構成される金属プレート、樹脂製のシート部材や接着剤等のような別途の材質を、下鍔部３３と仕切り部２２との間、および下鍔部３３と内周壁面２１ｃとの間の少なくとも一方に介在させ、これを磁気ギャップとして用いるようにしても良い。【００４６】
また、上述の実施の形態では、ドラム型コア３０において、上鍔部３１の外筒部２１の軸方向と略直交する面の輪郭線は、下鍔部３３外筒部２１軸方向と略直交する面の輪郭線を包含している。また、このような関係は、上鍔部３１の直径を、下鍔部３３の直径よりも大径とすることで実現されている。しかしながら、上鍔部３１の外筒部２１の軸方向と略直交する面の形状は、下鍔部３３の外筒部２１の軸方向と略直交する面の形状と、略同一となるように形成されていてもよい。この場合、上鍔部３１の直径と、下鍔部３３の直径とを略同一となるように設定することができる。なお、このように構成する場合、上鍔部３１と内周壁面２１ｃとの間に、接着剤や別途の固定具を用いる必要がある。【００４７】
また、上述の実施の形態では、ポットコア２０は、一体成型されたものを用いている。しかしながら、ポットコアは、一体成型されたものには限られず、例えば２つのリングコアの間に、プレート状のコア（これが、仕切り部に対応）を介在させて、それらを突き合わせることにより、ポットコアを構成しても良い。【００４８】
さらに、上述の実施の形態では、仕切り部２２は、ポットコア２０の矢示Ｂ方向に設けられる場合には限られず、内部空間Ｐを区切るものであれば、どのような位置に設けられていても良い。【００４９】
また、上述の実施の形態における複合磁性素子１０は、例えばデジタルオーディオアンプ等に用いられるが、当該複合磁性素子１０の用途はそれには限られず、例えば電源機器におけるチョーク用として用いる等、種々の用途に用いることが可能である。
【産業上の利用可能性】
【００５０】
本発明の複合磁性素子は、電気機器の分野において利用することができる。
【図１】
2009041301.tif 000003
【図２】
2009041301.tif 000004
【図３】
2009041301.tif 000005
【図４】
2009041301.tif 000006
【図５】
2009041301.tif 000007
【図６】
2009041301.tif 000008
【国際調査報告】
2009041301.tif 000009
2009041301.tif 000010
2009041301.tif 000011
2009041301.tif 000012